(57)【要約】【課題】  廃棄物の収容に用いられるフレックスコンテナーを工事現場等に設置するためのフレックスコンテナースタンドについては、構造形式は従来折り畳み式等が多く用いられていた。  従来の構造形式に於いてはその構成が複雑で故障しやすい傾向にあった。利用者からはこのような欠点を解決し、単純な構成で信頼性が高く、かつフレックスコンテナースタンドの保管や運搬に適した構造形式が要求されていた。【解決手段】  複数の移動用のキャスターで支えられる、角形フレーム枠体の対称の外側２辺において、フレーム枠体の側面部に、それぞれにフレックスコンテナー耳部を折り返して係合させる二対のＶ字形支持ポールを設け、対称に位置するＶ字形支持ポールを中心から外側に適宜にそれぞれに傾倒して固定したことを特徴とするフレックスコンテナースタンド。【選択図】図２
2011016578.tif 000002
【特許請求の範囲】
【請求項１】
複数の移動用キャスターで支えられる、角形台形フレーム枠体の左右対称の２辺において、フレーム枠体の外側面部の対称位置に、フレックスコンテナーの耳部を折り返して係合させるための左右対称に支持ポールを設け、この支持ポールをフレーム枠体中心から外側に適宜に傾倒してＶ字形に固定し、フレックスコンテナースタンド同志を何段か重ねることが可能にしたことを特徴とするフレックスコンテナースタンド。
【請求項２】
前項とと同様の構成において、保管や運搬のために、フレックスコンテナースタンド同志を重ねるために、重ね合わせる上方のフレックスコンテナースタンドのフレーム枠体と、下方に位置するフレックスコンテナースタンドの支持ポールの係合がなめらかに行えるよう、支持ポールの先端内側部が、重ねる側のフレーム枠体の幅より適宜に広くなるように、支持ポールを外側にやや傾倒させたことを特徴とする請求項１のフレックスコンテナースタンド。
【発明の詳細な説明】
【技術分野】
【０００１】  本発明は袋状のフレックスコンテナーにその収容物を投入するとき、自立できないフレックスコンテナーを構造体で支持して、フレックスコンテナー自体の基本形状を維持せしめ、容易に収容物を投入することの技術分野に属する。
【背景技術】
【０００２】  廃棄物の収容に用いられるフレックスコンテナーを工事現場等に設置する場合のフレックスコンテナースタンドについて、その多くは固定式スタンドでいくらかの移動型スタンドが併用されていた。【０００３】  従来移動式スタンドの構造形式は折り畳み式等が多く用いられ、その構成は複雑で故障しやすい傾向にあった。利用者からはこのような欠点を解決し、単純な構成で信頼性が高く、かつフレックスコンテナースタンドの保管や運搬に適した構造形式が要求されていた。
【発明の開示】
【発明が解決しようとする課題】
【０００４】  従来フレックスコンテナーの移動式スタンドは折り畳み式等で構造は複雑で故障しやすい傾向があった。この点について本発明ではその構造をより簡素化し、信頼性の高い移動式スタンドを提供すること。【０００５】  従来フレックスコンテナーの移動式スタンドは折り畳み式等でその構造は複雑で、使用しないときの保管や設置場所への運搬に必ずしも適している形状ではなかった。この点について本発明ではその構造を保管や設置場所への運搬時に数段重ねられる形状、構造にする事によって、構造の簡素化と相まって、信頼性の高い移動式スタンドを提供すること。
【課題を解決するための手段】
【０００６】  複数の移動用キャスターで支えられる、角形台形フレーム枠体の対称の２辺において、フレーム枠体の外側面部の対称位置に、フレックスコンテナーの耳部を折り返して係合させるための対称かつ左右一対の支持ポールを設け、この左右対称に設けた支持ポールをフレーム枠体中心から外側に適宜に傾倒してＶ字形に固定したことを特徴とするフレックスコンテナースタンド。図面［図２］参照【０００７】  前項とと同様の構成において、保管や運搬のために、フレックスコンテナースタンド同志を重ねる時にフレックスコンテナースタンドのフレーム枠体と下に位置するフレックスコンテナースタンドの支持ポールの係合がなめらかに行えるよう、Ｖ字形の支持ポールの先端部内側を上乗せする側のフレーム枠体の幅より適宜に広くなるように支持ポール傾倒させたフレックスコンテナースタンド。図面、［図１］参照
【発明の効果】
【０００８】  複数の移動用キャスターで支えられる、角形台形フレーム枠体の対称の２辺において、フレーム枠体の側面部の対称位置に、フレックスコンテナーの耳部を折り返して係合させるための支持ポールをフレーム枠体中心から外側に適宜に傾倒してＶ字形に固定する。この時、フレックスコンテナースタンドを重ねるのには、上方への移動量はフレックスコンテナースタンドのフレーム枠体の高さに保持板の高さを足した寸法となる。この重ね合わせた状態の時に支持ポール同志が当接しないように、対称である支持ポールの傾倒量を調整する事で、フレックスコンテナースタンド同志を何段か重ねることが出来るようにした効果を得る。図面［図２］参照【０００９】  図面［図１］の構成において、Ｖ字形に配置した支持ポールの先端部内側を上乗せする側のフレーム枠体の幅より適宜に広くなるように支持ポール傾倒させることにより、保管や運搬のためにフレックスコンテナースタンド同志を重ねる時に、フレックスコンテナースタンドとフレーム枠体と下に位置するフレックスコンテナースタンドと支持ポールの係合がなめらかに行える効果を得る。【００１０】  角形台形フレーム枠体の対称の２辺部に固定して設けた、上方から見てコ字状の保持板により、フレックスコンテナーの底部の形状が支えられて維持され、ややもすればゆがんで崩れる傾向のあるフレックスコンテナーの裾周りが形状的に安定して、かつ周囲の作業者の動きを損なうことなく、安全の確保効果も得られる。【００１１】  支持ポールの先端に固定して設けたフックは、フレックスコンテナースタンドが負荷時及び無負荷時にクレーン等で吊り上げるときの支持点であると共に、フックに棒状の補助材を用いることによりフレックスコンテナー上部の角形の形状が維持しやすくなる効果を得られる。
【発明を実施するための最良の形態】
【００１２】  複数の移動用の固定キャスター▲７▼と自在キャスター▲８▼で支えられる、フレーム▲１▼とクロスメンバー▲２▼で角形状の台形フレーム枠体を構成し形成する。【００１３】  フレーム枠体フレーム▲１▼の対称外側面２辺において、フレックスコンテナーの耳部を折り返して係合させるため支持ポール▲４▼に、それぞれフック▲５▼を固定して設け、かつ支持ポール▲４▼をフレーム▲１▼に固定して設ける。【００１４】  図面［図２］における支持ポール▲４▼をフレーム枠体中心から外側に傾倒してフレーム▲１▼にＶ字形に固着する。この時の傾倒量の調整は、この重ねによる上方への移動量はフレックスコンテナースタンドのフレーム枠体▲１▼、▲２▼の高さに保持板▲３▼の高さを足した寸法となるので、重ね合わせた状態の時に上下に位置する支持ポール▲４▼同志が当接しないように支持ポール▲４▼の傾倒量を調整する。その結果、フレックスコンテナースタンド同志を何段か重ねることが出来るようにしなる。【００１５】  図面［図１］の構成において、Ｖ字形に配置した支持ポール▲４▼を、その上端部内側寸法において上乗せする側のフレーム枠体▲１▼、▲２▼の全幅より適宜に広くなるように支持ポール▲４▼を傾倒させることで、保管や運搬のためにフレックスコンテナースタンド同志を重ね合わせる時に、上のフレックスコンテナースタンドのフレーム枠体▲１▼、▲２▼と下に位置するフレックスコンテナースタンドの支持ポール▲４▼の内幅部が何ら支障なく係合可能となる。【００１６】  ４本の独立した支持ポール▲４▼にフレックスコンテナー▲１０▼の上方耳部の４角を、適宜に折り返して契合し、フレックスコンテナー▲１０▼の下方部の底面角部をフレーム▲１▼に固着して設けた左右のコ字状の一対の保持板▲３▼に係合することにより、フレックスコンテナー▲１０▼は安定してフレックスコンテナースタンドに設置できる。図面［図２］参照【００１７】  支持ポール▲４▼にの上部にはフレックスコンテナー▲１０▼の設置を安定化することと、支持ポール▲４▼が開くのを抑止すること、及びフレックスコンテナー▲１０▼の収容物他の記名板を掲示することを兼ねた表示板▲６▼を支持ポール▲４▼に固着して設ける。
【図面の簡単な説明】
【００１８】
【図１】本発明の［請求項２］の実施例を示す正面図。
【図２】本発明の［請求項１］の実施例を示す正面図。
【符号の説明】
【００１９】  ▲１▼          フレーム            ▲６▼          表示板
▲２▼          クロスメンバ        ▲７▼          固定キャスター
▲３▼          保持板              ▲８▼          自在キャスター
▲４▼          支持ポール          ▲９▼          欠番
▲５▼          フック              ▲１０▼        フレックスコンテナー
【図１】
2011016578.tif 000003
【図２】
2011016578.tif 000004